(57)【要約】      （修正有）【課題】テントのホルダ構造を提供する。【解決手段】テントのホルダ構造１００は、トレー１、位置決めピン、ロック部材、主ベース６及びラック８からなる。テントのホルダ構造は、ロック部材によってトレー１とラック８のロック又は分離を実現する。ラック８の段差８１２とロックボタン５が係合することでラックとトレーのロックが実現され、第１フレームと第２フレームが展開する。また、ラックの段差とロックボタンの分離によってトレーからのラックの引き抜きが実現され、第１フレームと第２フレームが折り畳まれる。トレーと主ベースは位置決めピンによってロックされ、下向きにトレーを引き動かす際に、主ベースからのトレーの抜け落ちを防止可能となる。テントのホルダ構造におけるラックとトレーの係合又は分離によって、テントの第１フレームと第２フレームの展開又は折り畳みが実現される。【選択図】図４
0003205186.tif 000002
【実用新案登録請求の範囲】
【請求項１】
テントのホルダ構造であって、
前記テントのホルダ構造は、トレー、位置決めピン、ロック部材、主ベース及びラックからなり、前記トレーには左右に対向する２つの支持部が設けられ、前記支持部の中央に凹槽が設けられ、前記ロック部材と前記凹槽が係合され、前記支持部の外側には傾斜面が設けられ、前記トレーには上から下へ向かう開口が更に設けられ、前記ロック部材は、カバー、バネ及びロックボタンを組み合わせてなり、前記バネは、一端が前記カバーの内側に係合し、他端が前記ロックボタンに係合しており、前記ロック部材は前記トレーの左右両側に設けられ、且つ、前記傾斜面が前記ロックボタンの一端に当接し、前記主ベースには第１軸孔が設けられ、前記主ベースの底部には前記位置決めピンと係合する位置決め孔が設けられ、前記ラックは、軸体と、前記軸体の一端に設けられた傾斜部及び段差を含み、前記軸体の他端にロック突起が設けられ、前記位置決めピンは、前記トレーの開口と主ベースの位置決め孔に係合し、前記ロック部材は、２つが前記主ベースの左右両側にそれぞれ取り付けられている、ことを特徴とするテントのホルダ構造。
【請求項２】
前記テントのホルダ構造は更にサブベースを含み、前記サブベースには、第２軸孔、第１突起、第２突起、第３突起及び第４突起が設けられていることを特徴とする請求項１記載のテントのホルダ構造。
【請求項３】
前記位置決めピンには、位置決め歯が設けられていることを特徴とする請求項２記載のテントのホルダ構造。
【請求項４】
前記主ベースには、前記サブベースの第１突起、第２突起、第３突起、第４突起と係合する凹部が設けられていることを特徴とする請求項３記載のテントのホルダ構造。
【請求項５】
前記段差の直径は前記傾斜部の直径よりも小さいことを特徴とする請求項４記載のテントのホルダ構造。
【請求項６】
前記ロック突起の先端には斜面が設けられていることを特徴とする請求項５記載のテントのホルダ構造。
【考案の詳細な説明】
【技術分野】
【０００１】
本考案はテントホルダの技術分野に属し、具体的にはテントのホルダ構造に関する。
【背景技術】
【０００２】
テントは、設置しやすく携帯に便利なため、各種野外作業やレジャー活動に広く用いられている。しかし、テントは防風、防雨及び日よけといった基本的機能に対し、実際の運用にあたっては往々にして展開や折り畳みのしやすさに難があった。現在使用されているテントに用いられているホルダフレームは構造が単純でコンパクトではあるが、通常は長い時間と労力をかけてホルダフレームを固定し、シートを張らねばならない。また、スムーズな固定のためには使用者が一定の設営技術を把握している必要があり、場合によっては２人がかりでようやくホルダフレームの固定作業を完遂可能となる。また、一般的に、テントのホルダ構造の設計には、基本的に固定力が堅牢でないとの課題がある。即ち、風に対する抵抗力が弱かったり、その他外力に対する抵抗力に劣っていたりとの課題がある。更に、テント設営に要するスペースが大きい場合には、ホルダの構造が複雑化するとともに配備される部品も多くなる。結果、操作者によるテントの設営又は折り畳み時間が長時間化するだけでなく、操作者が野外で多くの体力を消耗することとなり、テントの使用者を疲弊させてしまう。特に、テントのホルダによっては上部下端にボトムプレートや支柱構造が設けられているため、使用者はテントの真下スペースを有効活用しにくく、傘部下方での自由な活動に不便であった。とりわけ、一般的なテントフレームの構造設計は、基本的に固定力が堅牢でないとの課題がある。つまり、従来のテントフレームは、展開後にシートの力も借りて連携して固定されるのであって、完全にテントのホルダ構造のみで単独で固定されるわけではない。即ち、従来のテントの場合、展開後にシートと連携して固定されなければ、テントホルダ全体が不確定な形状をなすことになる。結果、テントホルダは全体として風に対する抵抗力が弱く、その他外力に劣るとの課題が一定程度存在することになる。通常、テントはホルダとシートから構成される。一般的なテントのホルダは、一定の伸縮性を持った２本の支持ロッドからなる。よって、携帯に不便であり、テントの展開や収納時にもやや面倒であった。
【考案の概要】
【考案が解決しようとする課題】
【０００３】
本考案は、従来のテントのホルダでは組み立て又は解体時に面倒であり、極めて不便であるとの技術的課題を解決するためのテントのホルダ構造を提供する。
【課題を解決するための手段】
【０００４】
上記の技術的課題を解決するために、本考案では以下の技術方案を用いる。
【０００５】
テントのホルダ構造であって、前記テントのホルダ構造は、トレー、位置決めピン、ロック部材、主ベース及びラックからなり、前記トレーには左右に対向する２つの支持部が設けられ、前記支持部の中央に凹槽が設けられ、前記ロック部材と前記凹槽が係合され、前記支持部の外側には傾斜面が設けられ、前記トレーには上から下へ向かう開口が更に設けられ、前記ロック部材は、カバー、バネ及びロックボタンを組み合わせてなり、前記バネは、一端が前記カバーの内側に係合し、他端が前記ロックボタンに係合しており、前記ロック部材は前記トレーの左右両側に設けられ、且つ、前記傾斜面が前記ロックボタンの一端に当接し、前記主ベースには第１軸孔が設けられ、前記主ベースの底部には前記位置決めピンと係合する位置決め孔が設けられ、前記ラックは、軸体と、前記軸体の一端に設けられた傾斜部及び段差を含み、前記軸体の他端にロック突起が設けられ、前記位置決めピンは、前記トレーの開口と主ベースの位置決め孔に係合し、前記ロック部材は、２つが前記主ベースの左右両側にそれぞれ取り付けられている。
【０００６】
好ましくは、前記テントのホルダ構造は更にサブベースを含み、前記サブベースには、第２軸孔、第１突起、第２突起、第３突起及び第４突起が設けられている。
【０００７】
好ましくは、前記位置決めピンには位置決め歯が設けられている。
【０００８】
好ましくは、前記主ベースには、前記サブベースの第１突起、第２突起、第３突起、第４突起と係合する凹部が設けられている。
【０００９】
好ましくは、前記段差の直径は前記傾斜部の直径よりも小さい。
【００１０】
好ましくは、前記ロック突起の先端には斜面が設けられている。
【考案の効果】
【００１１】
上記の技術方案を採用した場合、本考案におけるテントのホルダ構造は、ロック部材によってトレーとラックのロック又は分離を実現する。ラックの段差とロックボタンが係合することでラックとトレーのロックが実現され、第１フレームと第２フレームが展開する。また、ラックの段差とロックボタンの分離によってトレーからのラックの引き抜きが実現され、第１フレームと第２フレームが折り畳まれる。トレーと主ベースは位置決めピンによってロックされ、下向きにトレーを引き動かす際に、主ベースからのトレーの抜け落ちを防止可能となる。テントのホルダ構造におけるラックとトレーの係合又は分離によって、テントの第１フレームと第２フレームの展開又は折り畳みが実現されるため、便利であるとともに労力が軽減され、市場における良好な応用可能性を有する。
【００１２】
本考案の実施例又は従来技術における技術方案をより明確に説明するために、以下に、実施例又は従来技術の記載において使用を要する図面について簡単に説明する。なお、以下に記載する図面は本考案の実施例の一部であって、当業者であれば、創造的労働を要さないことを前提に、これら図面から更に他の図面を取得可能であることはいうまでもない。  
【図面の簡単な説明】
【００１３】
【図１】図１は、本考案におけるテントフレームの構造を示す図である。
【図２】図２は、本考案におけるテントのホルダ構造の底部構成を示す図である。
【図３】図３は、本考案におけるテントのホルダ構造のサブベース構成を示す図である。
【図４】図４は、本考案におけるテントのホルダ構造の構成を示す図である。
【図５】図５は、本考案におけるテントのホルダ構造の断面図である。
【考案を実施するための形態】
【００１４】
本考案における実施例の目的、技術方案及び利点をより明らかとすべく、以下では、本考案の実施例の図面を組み合わせて、本考案における実施例の技術方案について明確且つ完全に記載する。なお、記載する実施例は本考案の実施例の一部であって、実施例の全てでないことはいうまでもない。また、本考案の実施例に基づいて、当業者が創造的労働を要さないことを前提に取得したその他あらゆる実施例は、いずれも本考案の保護の範囲に属する。
【００１５】
図１〜図５に示すように、テントは、テントのホルダ構造１００、第１フレーム２００、第２フレーム３００及び上プレート４００からなる。第１フレーム２００と第２フレーム３００にはシートが被せられ、第１フレーム２００と第２フレーム３００の上端は上プレート４００にヒンジ接続される。テントのホルダ構造１００は、トレー１、位置決めピン２、カバー３、バネ４、ロックボタン５、主ベース６、サブベース７、ラック８及び延長ロッド９からなる。第１フレーム２００の下部はサブベース７にヒンジ接続され、第２フレーム３００の下部は主ベース６にヒンジ接続される。また、延長ロッド９の上部は上プレート４００に固定接続される。トレー１には左右に対向する２つの支持部１１が設けられている。支持部１１の中央には凹槽１１１が設けられており、支持部１１の外側には傾斜面１１２が設けられている。更に、トレー１には上から下へ向かう開口１２が設けられている。ロック部材は、カバー３、バネ４及びロックボタン５を組み合わせてなる。バネ４は一端がカバー３の内側に係合しており、他端がロックボタン５に係合している。ロック部材は凹槽１１１に係合している。ロック部材は、トレー１の左右両側に設けられており、傾斜面１１２がロックボタン５の一端に当接する。主ベース６には第１軸孔６１が設けられている。主ベース６の底部には位置決めピン２と係合する位置決め孔６２が設けられており、位置決めピン２には位置決め歯２１が設けられている。サブベース７には、第１突起７１、第２突起７２、第３突起７３、第４突起７４及び第２軸孔７５が設けられている。ラック８は、軸体８１と、軸体８１の一端に設けられた傾斜部８１１、段差８１２を含む。軸体８１の他端にはロック突起８２が設けられている。位置決めピン２は、トレー１の開口１２と、主ベース６の位置決め孔６２に係合する。ロック部材は、２つが主ベース６の左右両側にそれぞれ取り付けられている。延長ロッド９には、ロック突起８２と係合する孔９１が設けられている。
【００１６】
主ベース６には、サブベース７の第１突起７１、第２突起７２、第３突起７３、第４突起７４と係合する凹部が設けられており、これにより、主ベース６とサブベース７の係合が実現される。また、ラック８と延長ロッド９は、ロック突起８２と孔９１により接続される。
【００１７】
テントを展開したい場合には、延長ロッド９の軸方向に沿ってラック８と延長ロッド９を引き動かし、ラック８の軸体８１を主ベース６の第１軸孔６１に挿入する。挿入の過程では、軸体８１の一端の傾斜部８１１によってロック部材のロックボタン５が左右両側へ運動するよう押圧されて、バネ４が圧縮される。軸体８１が徐々に奥へ挿入されるに従い、第１フレーム２００と第２フレーム３００が次第に展開する。段差８１２の直径は傾斜部８１１の直径よりも小さいため、バネ４は押圧力の作用を受けなくなると、形状回復してロックボタン５を軸体８１の軸心方向へ運動するよう付勢する。すると、ロックボタン５と段差８１２が係合して、トレー１及び主ベース６からのラック８の分離を防止可能となり、テントの展開が実現される。
【００１８】
テントを折り畳みたい場合には、下向きにトレー１を引き動かす。支持部１１の傾斜面１１２は下向きに運動する過程で、ロックボタン５をトレー１の左右両側に沿って運動するよう押圧する。すると、ロックボタン５と段差８１２が分離し、ラック８がトレー１から引き出される。ロック突起８２は先端に斜面を有することから、ラック８が引き抜かれる過程において、ラック８のロック突起８２が延長ロッド９の孔９１から引き抜かれる。これにより、第１フレーム２００と第２フレーム３００は、折り畳まれるとともにラック８及び延長ロッド９と密着し、テントの折り畳みが実現される。
【００１９】
テントのホルダ構造１００に主ベース６のみが設けられている場合には、主ベース６に４本の第２フレーム３００を支持可能である。主ベース６にサブベース７を追加して設ける場合には、サブベース７に４本の第１フレーム２００を支持可能なように、サブベース７を主ベース６の上部に位置させるとともに、主ベース６と抜き差し可能に係合させる。これにより、テントのホルダ構造１００に８本のフレームを支持可能となり、テントの構造がより強固となる。主ベース６に対するサブベース７の着脱は便利且つスピーディーであり、サブベース７は余分に４本のフレームを支持可能であるため、テントのホルダ構造の強度が向上する。
【００２０】
テントのホルダ構造は、トレー１を引き動かして主ベース６とラック８を分離することで、フレームの収納を実現可能とする。また、トレー１を押動することでラック８を主ベース６内に置き、且つバネ４によって位置決めピン２を付勢することでラック８を主ベース６に固定する。これにより、フレームの展開が実現される。主ベース６は単独で使用してもよいし、テントのホルダ構造の強度を著しく向上させるべくサブベース７と組み合わせて使用してもよい。
【００２１】
本考案におけるテントのホルダ構造は、ロック部材によってトレー１とラック８のロック又は分離を実現する。ラック８の段差８１２とロックボタン５が係合することでラック８とトレー１のロックが実現され、第１フレーム２００と第２フレーム３００が展開する。また、ラック８の段差８１２とロックボタン５の分離によってトレー１からのラック８の引き抜きが実現され、第１フレーム２００と第２フレーム３００が折り畳まれる。トレー１と主ベース６は位置決めピン２によってロックされ、下向きにトレー１を引き動かす際に、主ベース６からのトレー１の抜け落ちを防止可能となる。テントのホルダ構造におけるラック８とトレー１の係合又は分離によって、テントの第１フレーム２００と第２フレーム３００の展開又は折り畳みが実現されるため、便利であるとともに労力が軽減され、市場における良好な応用可能性を有する。
【００２２】
最後に、以上の実施例は本考案の技術方案を説明するためのものにすぎず、本考案を制限するものではない。上記実施例を参照して本考案を詳細に説明したが、当業者は、上記各実施例に記載される技術方案は修正可能、又は、一部技術的特徴について等価の置き換えが可能であり、これらの修正又は置き換えは、対応する技術方案の本質を本考案における各実施例の技術方案の精神及び範囲から逸脱させるものではないものと理解すべきである。
【図１】
0003205186.tif 000003
【図２】
0003205186.tif 000004
【図３】
0003205186.tif 000005
【図４】
0003205186.tif 000006
【図５】
0003205186.tif 000007